(57)【要約】【課題】オフセットビートキャンセラにおいて，テレビ放送信号を選局して直交検波する構成要素によって発生する位相ノイズを含む信号が出力されても，その位相ノイズ等の影響を受けることなくテレビ放送画像を綺麗に再生できるようにする。比較的安価に実現する。【解決手段】選局部３０を構成する映像ＩＦ信号生成用の局部発振器７０の出力における位相ノイズはオフセット周波数１ｋＨｚにおいて９５ｄＢｃ／Ｈｚ〜１３０ｄＢｃ／Ｈｚであり，直交検波用のキャリア再生部３１を構成する振幅制限器３１ｂの映像信号抑圧比は１５ｄＢ〜４０ｄＢであり，前記キャリア再生部３１を構成する基準発振器３１ｅの出力における位相ノイズはオフセット周波数１ｋＨｚにおいて７０ｄＢｃ／Ｈｚ〜９０ｄＢｃ／Ｈｚであるように夫々組合せる。【選択図】  図２
2004357165.tif 000002
【特許請求の範囲】
【請求項１】
受信アンテナから入力される受信信号の中から，希望波に対して送信周
波数が所定周波数オフセットされた妨害波を含む所定放送チャンネルのテレビ放送信号を選局して，該テレビ放送信号の映像中間周波信号及び音声中間周波信号を出力する選局手段と，
該選局手段から出力される映像中間周波信号を直交検波することによりＩ信号とＱ信号とを生成し，該生成したＱ信号をＡ／Ｄ変換してデジタル処理することにより前記Ｉ信号に含まれる妨害波信号成分を生成し，該生成した妨害波信号成分を前記Ｉ信号から除去することにより，前記妨害波信号成分を除去した映像信号を生成する映像信号処理手段と，
該映像信号処理手段にて生成された映像信号と，前記選局復調手段から出力される音声中間周波信号とに基づき，所定放送チャンネルのテレビ放送信号を生成するテレビ放送信号生成手段と，
を備え，該生成されたテレビ放送信号を受信信号として出力するオフセットビートキャンセラであって，
前記選局手段が前記受信信号から所定放送チャンネルのテレビ放送信号の少なくとも映像信号を前記映像中間周波信号に周波数変換するのに使用する局部発振器の出力特性の一つである位相雑音が，オフセット周波数１ｋＨｚにおいて９５ｄＢｃ／Ｈｚ〜１３０ｄＢｃ／Ｈｚであり，
前記映像信号処理手段が前記映像中間周波信号を直交検波するのに使用するキャリア再生部を構成する振幅制限器の特性の一つである変調信号抑圧比が１５ｄＢ〜４０ｄＢであり，
前記映像信号処理手段が前記映像中間周波信号を直交検波するのに使用するキャリア再生部を構成する基準発振器の出力特性の一つである位相雑音が，オフセット周波数１ｋＨｚにおいて７０ｄＢｃ／Ｈｚ〜９０ｄＢｃ／Ｈｚであるように構成したことを特徴としたオフセットビートキャンセラ。
【請求項２】
前記選局手段において受信信号を前記映像中間周波信号に変換するのに使用される局部発振器は，発振周波数を制御可能な周波数可変発振器からなり，
前記選局手段には，該局部発振器に加えて，発振周波数が固定された基準発振器と，該基準発振器からの出力と前記局部発振器からの出力との周波数の比が予め設定された値となるように前記局部発振器の発振周波数を制御するＰＬＬ回路と，該ＰＬＬ回路から前記局部発振器への制御信号の出力経路に設けられたローパスフィルタと，から構成され，
前記映像信号処理手段において前記映像中間周波信号を直交検波するのに使用するキャリア再生部を構成する基準発振器は，発振周波数を制御可能な周波数可変発振器からなり，
前記キャリア再生部は，該基準発振器に加えて，前記映像中間周波信号をフィルタと前記振幅制限器を介して基準信号として，該基準信号と前記基準発振器からの出力との周波数の比が予め設定された値となるように前記基準発振器の発振周波数を制御するＰＬＬ回路と，該ＰＬＬ回路から前記基準発振器への制御信号の出力経路に設けられたローパスフィルタと，から構成されたことを特徴とする請求項１に記載のオフセットビートキャンセラ。
【発明の詳細な説明】
【０００１】
【発明の属する技術分野】
本発明は，受信アンテナにて受信したテレビ放送信号の中から，希望波に対して送信周波数が所定周波数オフセットされた妨害波信号成分を除去するオフセットビートキャンセラに関する。
【０００２】
【従来の技術】
従来より，近接する地域で同一の放送チャンネルを利用したテレビ放送を行う際には，各テレビ放送信号の送信周波数に±１０．０１ｋＨｚのオフセットを設けて，テレビ受像器で映像信号を再生した際に画面に現れる縞模様（ビート）を目立たなくするようにしている。しかし，妨害波の量が多ければビートも顕著に現れることになるし，聴視者からはよりよい画質の要求がある。
【０００３】
そこで，近年では，こうしたビート障害を防止するために，ビート障害が発生する放送チャンネルのテレビ放送信号を所定周波数帯に周波数変換した映像中間周波信号（以下，映像ＩＦ信号ともいう）から，希望波の映像搬送波を抽出し，この映像搬送波を用いて映像ＩＦ信号を直交検波することにより，妨害波信号成分を含むＱ信号を生成し，更に，アナログフィルタを用いて，その生成したＱ信号から妨害波信号成分を抽出して，この妨害波信号成分を映像ＩＦ信号から除去するオフセットビートキャンセラが提案されている（例えば，特許文献１，特許文献２参照）。
【０００４】
【特許文献１】
特開平８−９８０６１号公報
【特許文献２】
特開平９−５５６７１号公報
【０００５】
【発明が解決しようとする課題】
ところで，上記提案のオフセットビートキャンセラは，何れも，映像ＩＦ信号を信号処理することによって，妨害波信号成分を除去した映像ＩＦ信号を生成するものであるため，ホーム共同受信等で複数の受信端末（テレビチューナ等）に伝送される受信信号の中から妨害波信号成分を除去するようにするには，受信信号の中から妨害波を除去すべき放送チャンネルのテレビ放送信号を選局する選局部や，該選局部から出力される映像ＩＦ信号を直交検波することにより，該中間ＩＦ信号に含まれる妨害波信号成分を抽出し，該抽出した妨害波信号成分を除去した映像信号もしくは映像ＩＦ信号を生成する映像信号処理手段や，妨害波信号成分を除去した前記映像ＩＦ信号を用いてテレビ放送信号を生成する変調部を別途設ける必要がある。
【０００６】
そして，このように構成されたオフセットビートキャンセラにおいて，選局部にてテレビ放送信号を選局する際（換言すれば受信信号を周波数変換する際）に用いる局部発振器の出力に位相ノイズが存在すると，選局部で得られる映像ＩＦ信号にその位相ノイズ成分が重畳されてしまい，映像ＩＦ信号の信号劣化を招くことになる。
更に，前記映像ＩＦ信号を映像信号処理部において直交検波する際に用いる，キャリア再生部を構成する振幅制限器は，前記映像ＩＦ信号を基準信号として用いるため，前記振幅制限器の出力における変調波の抑圧比（以下，映像信号抑圧比という）が悪いと，搬送波に雑音（ここでは振幅変調成分，以下ＡＭ成分と言う）が含まれることになり直交検波において検波された信号の劣化を招くことになる。
更に加えて，当該振幅制限器を通して振幅制限した信号（換言すると，希望波信号の搬送波信号）を基準信号として基準発振器の出力が制御されるように構成されていれば，前記基準発振器の出力に位相ノイズが存在することで，直交検波で得られる検波信号にその位相ノイズ成分が重畳されてしまい，妨害波信号成分を除去する信号処理手段からの出力信号の劣化を招くことになる。
【０００７】
一方，こうした問題を防止するには，選局部で用いる局部発振器を純度の高い局部発振信号を発生できるように，局部発振器や局部発振器の発振周波数を制御する制御回路の精度を上げると共に，キャリア再生部の振幅制限器の映像信号抑圧比を改善することが必要となる。また，キャリア再生部の基準発振器においても，前記選局部の局部発振器と同様に，前記基準発振器を純度の高い発振信号を発生できるように，基準発振器や基準発振器の発振周波数を制御する制御回路の精度を上げることが必要となる。しかしながらそのためには，発振器や制御回路等に高価なものを使用しなければならず，オフセットビートキャンセラのコストアップを招くという問題が生じる。また，作り難い，大きくなってしまうといった問題もあった。
【０００８】
本発明は，こうした問題に鑑みなされたものであり，テレビ放送信号選局用の選局部と，該選局部から出力される映像ＩＦ信号を直交検波することにより，該中間ＩＦ信号に含まれる妨害波信号成分を抽出し，該抽出した妨害波信号成分を除去した映像信号もしくは映像ＩＦ信号を生成する映像信号処理手段や，妨害波信号成分を除去した前記映像ＩＦ信号を用いてテレビ放送信号を生成する変調部を備えたオフセットビートキャンセラにおいて，選局部や映像信号処理手段を構成するキャリア再生部の基準発振器や振幅制限器等の特性の最適な条件を提供することで，それらの特性（例えば位相ノイズや，映像信号等の変調信号の漏れによる残留ノイズ）による影響を受けることなく，テレビ放送画像を綺麗に再生できるようにすると共に，コストダウン，作りやすいオフセットビートキャンセラを提供することを目的とする。
【０００９】
【課題を解決するための手段】
かかる目的を達成するためになされた請求項１記載の発明は，  受信アンテナから入力される受信信号の中から，希望波に対して送信周波数が所定周波数オフセットされた妨害波を含む所定放送チャンネルのテレビ放送信号を選局して，該テレビ放送信号の映像中間周波信号及び音声中間周波信号を出力する選局手段と，該選局手段から出力される映像中間周波信号を直交検波することにより，該映像中間周波信号に含まれる妨害波信号成分を抽出し，該抽出した妨害波信号成分を除去した映像信号若しくは映像中間周波信号を生成する映像信号処理手段と，該映像信号処理手段にて生成された映像信号と，前記選局復調手段から出力される音声中間周波信号とに基づき，所定放送チャンネルのテレビ放送信号を生成するテレビ放送信号生成手段と，を備え，該生成されたテレビ放送信号を受信信号として出力するオフセットビートキャンセラであって，前記選局手段が前記受信信号から所定放送チャンネルのテレビ放送信号の少なくとも映像信号を前記映像中間周波信号に周波数変換するのに使用する局部発振器の出力特性の一つである位相雑音が，オフセット周波数１ｋＨｚにおいて９５ｄＢｃ／Ｈｚ〜１３０ｄＢｃ／Ｈｚであり，前記映像信号処理手段が前記映像中間周波信号を直交検波するのに使用するキャリア再生部において，当該キャリア再生部を構成する振幅制限器の特性の一つである映像信号抑圧比が１５ｄＢ〜４０ｄＢであり，前記映像信号処理手段が前記映像中間周波信号を直交検波するのに使用するキャリア再生部を構成する基準発振器の出力特性の一つである位相雑音が，オフセット周波数１ｋＨｚにおいて７０ｄＢｃ／Ｈｚ〜９０ｄＢｃ／Ｈｚであるように構成したことを特徴とする。
【００１０】
つまり，選局手段やキャリア再生部において使用されている発振器（詳しくは選局手段においては，該選局手段が受信信号から所定放送チャンネルのテレビ放送信号の映像信号を映像中間周波信号に周波数変換するのに使用する局部発振器であり，キャリア再生部においては，前記選局手段から出力された映像中間周波信号を直交検波するための基準発振器である）から出力される位相ノイズがある程度低ければ，再生画像に影響を与えることはない。
【００１１】
そこで，本発明では，少なくとも選局手段の局部発振器とキャリア再生部に使用されている振幅制限器と基準発振器において，これらの構成要素の内，雑音成分を発生させる構成要素の特性に着目して，これらを夫々最適化して組合せることにより，これらの構成要素の特性によってテレビ放送の再生画像が劣化するのを防止するようにしているのである。
【００１２】
そして，このように各構成要素の特性を夫々最適な値に組合せることにより，選局手段やキャリア再生部に設けられる基準発振器やこの基準発振器の発振周波数を制御する制御回路の精度を高めて，基準発振器から出力される位相ノイズを全周波数領域で抑制する必要がないので，選局手段やキャリア再生部，延いては，オフセットビートキャンセラを，比較的安価に実現できることになる。
なお，組合せとしては本発明（請求項１）のように選択手段における局部発振器の出力特性は，その位相ノイズの特性が，オフセット周波数１ｋＨｚにおいて９５ｄＢｃ／Ｈｚ〜１３０ｄＢｃ／Ｈｚであって，キャリア再生部を構成する振幅制限器の特性は，その映像信号抑圧比が１５ｄＢ〜４０ｄＢであり，前記映像信号処理手段が前記映像中間周波信号を直交検波するのに使用するキャリア再生部を構成する基準発振器の出力特性の一つである位相雑音が，オフセット周波数１ｋＨｚにおいて７０ｄＢｃ／Ｈｚ〜９０ｄＢｃ／Ｈｚであるように構成することが望ましい。
【００１３】
また，本発明（請求項２）のように夫々の発振器は，発振周波数を制御可能な周波数可変発振器と，ローパスフィルタと発振周波数を制御するＰＬＬ回路と基準発振器（キャリア再生部の基準信号は，選局手段から出力される映像中間周波信号）とを備えたＰＬＬ制御でもって構成しても良い。
【００１４】
【発明の実施の形態】
以下に本発明の実施形態を図面と共に説明する。
図１は本発明が適用された第１実施例のテレビ放送受信システム全体の構成を表わす概略構成図である。なお，本実施例のテレビ放送受信システムは日本国内用のものであり，以下に説明するＶＨＦ帯及びＵＨＦ帯のテレビ放送は，帯域幅が６ＭＨｚのＮＴＳＣ方式で行われるものとする。
【００１５】
図１に示す如く，本実施例のテレビ放送受信システムは，屋外に設置したアンテナからの受信信号を伝送線を介して建造物内の各部屋に伝送する共同受信システムであり，テレビ放送受信用の受信アンテナとして，地上局から送信されたＶＨＦ帯及びＵＨＦ帯の放送電波をそれぞれ受信するＶＨＦアンテナ２及びＵＨＦアンテナ４と，放送衛星（ＢＳ）や通信衛星（ＣＳ）からの送信電波を受信するＢＳ／ＣＳアンテナ６とを備える。
【００１６】
なお，ＢＳ／ＣＳアンテナ６は，反射鏡６ａと，支持腕を介して反射鏡６ａの焦点位置に配置された受信部６ｂとからなり，受信部６ｂに内蔵されたコンバータによって，受信信号をＢＳ／ＣＳ−ＩＦ信号に周波数変換（ダウンコンバート）して出力する。
【００１７】
そして，これら各受信アンテナ２〜６からの受信信号（ＶＨＦ受信信号，ＵＨＦ受信信号，ＢＳ／ＣＳ−ＩＦ信号）は，それぞれ，同軸ケーブルからなる伝送線を介して，ブースタ（増幅器）８まで伝送され，このブースタ８にて所定レベルまで増幅される。また，ブースタ８にて増幅された各受信信号（ＶＨＦ受信信号，ＵＨＦ受信信号，ＢＳ／ＣＳ−ＩＦ信号）は，ブースタ８内で混合されて，後段のオフセットビートキャンセラ２０に入力され，このオフセットビートキャンセラ２０から端末側の伝送線上に出力される。
【００１８】
また，端末側の伝送線には，分配器１０が接続されており，オフセットビートキャンセラ２０から出力された受信信号は，分配器１０にて複数系統（図では４系統）に分配され，更に，その分配された各系統の伝送線上に直列に接続された複数の直列ユニット１２を介して，各直列ユニット１２が設置された各部屋の受信端末（例えば，図示しない受信画像を表示するＴＶ受像機）まで伝送される。
【００１９】
次に，このオフセットビートキャンセラ２０の構成を図２を用いて詳しく説明する。
図２に示すように，オフセットビートキャンセラ２０は，ブースタ８から出力された受信信号を伝送線（同軸ケーブル）を介して入力するための入力端子Ｔｉｎと，受信信号を出力するための出力端子Ｔｏｕｔとを備える。
【００２０】
そして，入力端子Ｔｉｎに入力された受信信号の内，ＢＳ／ＣＳ−ＩＦ信号は，この信号のみを選択的に通過させるハイパスフィルタ（以下，ハイパスフィルタをＨＰＦと記載する）２４を介して内部に取り込まれ，ビートキャンセラ２０内に形成されたＢＳ／ＣＳ−ＩＦ信号用の通過経路，及び，出力端子Ｔｏｕｔ側に設けられたＨＰＦ２６を介して，出力端子Ｔｏｕｔまで伝送されて，出力端子Ｔｏｕｔから端末側に出力される。
【００２１】
また，入力端子Ｔｉｎに入力された受信信号の内，ＶＨＦ受信信号及びＵＨＦ受信信号は，ＶＨＦ及びＵＨＦ帯の受信信号のみを選択的に通過させるローパスフィルタ（以下，ローパスフィルタをＬＰＦと記載する）２２を介して内部に取り込まれ，分配回路２８にて２分配される。そして，この分配回路２８にて分配された一方の受信信号（ＶＨＦ・ＵＨＦ信号）は，ビートキャンセラ２０内に形成されたＶＨＦ・ＵＨＦ信号用の通過経路を介して，出力端子Ｔｏｕｔ側の混合回路４２まで伝送される。
【００２２】
一方，分配回路２８にて分配された他方の受信信号は，ＵＨＦ選局部３０に入力される。このＵＨＦ選局部３０は，制御部５０から選局チャンネル制御信号によって指定されたＵＨＦ帯で所定放送チャンネルのテレビ放送信号を選局して，映像搬送波が所定周波数（例えば，５８．７５ＭＨｚ）となる映像中間周波信号（映像ＩＦ信号）と，音声多重信号を含む複合音声信号を出力する。なお，このＵＨＦ選局部３０は，本発明の選局手段に相当する。
【００２３】
そして，ＵＨＦ選局部３０から出力された映像ＩＦ信号は，分配回路２９を介して一方は直交検波部３２に入力され，他方はキャリア再生部３１に入力される。このキャリア再生部３１と直交検波部３２にて，映像ＩＦ信号に含まれる映像搬送波を用いて直交検波される。また，この直交検波部３２で直交検波されたＩ信号とＱ信号とは，それぞれ，ビートキャンセル用のデジタル処理部３４に入力され，デジタル処理部３４にて，妨害波信号成分を除去したベースバンドの映像信号に変換される。
【００２４】
そして，この映像信号と，ＵＨＦ選局部３０から出力された音声信号（複合音声信号）とは，それぞれ，ＵＨＦ変調部３６に入力され，このＵＨＦ変調部３６にて，制御部５０から出力チャンネル制御信号によって指定された所定放送チャンネル（出力チャンネル）のＵＨＦ帯のテレビ放送信号に変換される。なお，このＵＨＦ変調部３６は，本発明のテレビ放送信号生成手段に相当する。
【００２５】
次に，このＵＨＦ変調部３６にて生成されたテレビ放送信号は，ＵＨＦ帯のテレビ放送信号のみを選択的に通過させるバンドパスフィルタ（以下，バンドパスフィルタをＢＰＦと記載する）３８を介して，ゲインコントロール（ＧＣ）用のボリュームＶＲを備えた増幅部４０に入力され，この増幅部４０にて所定レベルまで増幅された後，混合回路４２に入力される。
【００２６】
この結果，混合回路４２では，ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
そして，この混合回路４２にて混合されたＶＨＦ・ＵＨＦ信号は，増幅回路４４にて所定レベルまで更に増幅された後，ＶＨＦ及びＵＨＦ帯の受信信号のみを選択的に通過させるＬＰＦ４６を介して，出力端子Ｔｏｕｔまで伝送され，出力端子Ｔｏｕｔから，ＢＳ／ＣＳ−ＩＦ信号と一緒に端末側に出力される。
【００２７】
ここで，デジタル処理部３４と直交検波部３２とキャリア再生部３１は，本発明の映像信号処理手段３３に相当するものであり，本実施例では，デジタル処理部３４において，Ｑ信号をデジタル処理することにより，Ｉ信号に含まれる妨害波信号成分を生成し，Ｉ信号からこの妨害波信号成分を除去する。
つまり，映像ＩＦ信号に含まれる希望波映像信号をＡ（ｔ），その搬送波（映像搬送波）をｃｏｓ（ωｔ）とし，妨害波映像信号をＢ（ｔ），その搬送波（映像搬送波）をｃｏｓ｛（ω＋δ）ｔ＋Φ｝とした場合，映像ＩＦ信号は，
映像ＩＦ信号＝Ａ（ｔ）ｃｏｓ（ωｔ）
＋Ｂ（ｔ）ｃｏｓ｛（ω＋δ）ｔ＋Φ｝
と記述でき，直交検波後のＩ信号及びＱ信号は，それぞれ，
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから，デジタル処理部３４では，Ｑ信号をデジタル処理することにより，Ｉ信号に含まれる妨害波信号成分である「Ｂ（ｔ）ｃｏｓ（δｔ＋Φ）」を生成し，この妨害波信号成分をＩ信号から除去するのである。
【００２８】
具体的には，再生したテレビ画像からビートを除去するには，映像信号の低域成分（周波数：０〜数十ｋＨｚ）に関して妨害波信号成分を除去できれば充分であることから，デジタル処理部３４では，図３に示すように，まず，Ｑ信号をＡ／Ｄ変換部６０を介してデジタルデータとして取り込み，その取り込んだＱ信号を，ＬＰＦとして機能するフィルタ部６２にてフィルタ処理することにより，Ｑ信号の低域成分のみを抽出し，ビート成分生成部６４にて，その抽出したＱ信号の低域成分から，上記妨害波信号成分「Ｂ（ｔ）ｃｏｓ（δｔ＋Φ）」を生成する。
【００２９】
また，デジタル処理部３４では，Ｉ信号をＡ／Ｄ変換部６１を介してデジタルデータとして取り込み，その取り込んだＩ信号を，ＬＰＦとして機能するフィルタ部６３と，ＨＰＦとして機能するフィルタ部６７とを用いて，Ｉ信号の低域成分と高域成分とに分離する。
【００３０】
そして，ビート成分生成部６４から出力される妨害波信号成分は，ビート成分生成部６４の処理動作によって，各フィルタ部６３，６７を通過したＩ信号の低域成分及び高域成分よりも遅れることから，フィルタ部６３，６７を通過したＩ信号の低域成分及び高域成分を，ビート成分生成部６４で生成された妨害波信号成分と同期させるために，Ｉ信号の低域成分及び高域成分を，それぞれ，遅延処理部６５，６８で遅延処理する。
【００３１】
そして，最後に，減算処理部６６にて，遅延処理後のＩ信号の低域成分からビート成分生成部６４で生成された妨害波信号成分を減算する減算処理を行い，更に，その減算処理後のＩ信号の低域成分と遅延処理後のＩ信号の高域成分とを加算処理部６９にて加算処理することにより，妨害波信号成分を除去した映像信号（詳しくは映像データ）を生成し，これをＤ／Ａ変換部６９ａにてアナログの映像信号に変換した後，ＵＨＦ変調部３６に出力する。
【００３２】
従って，デジタル処理部３４からは，オフセットビート障害の原因となる妨害波信号成分を除去した映像信号が出力されることになり，しかも，デジタル処理部３４では，直交検波後のＩ信号及びＱ信号を一旦デジタルデータに変換してデジタル処理することにより，妨害波信号成分を除去した映像信号を生成することから，周囲温度の影響を受けることなく，妨害波信号成分を除去した映像信号を安定して生成することができる。
【００３３】
次に，オフセットビートキャンセラ２０には，ＵＨＦ変調部３６が生成するテレビ放送信号の放送チャンネル（出力チャンネル）を外部操作によって設定できるようにするために，出力チャンネル設定部４８が設けられている。
そして，制御部５０は，マイクロコンピュータにて構成されており，この出力チャンネル設定部４８から入力される出力チャンネルの設定指令に従い，ＵＨＦ変調部３６がテレビ放送信号を生成する際の放送チャンネル（出力チャンネル）を制御する。
【００３４】
また，ＵＨＦ選局部３０の選局チャンネルは，予めＥＥＰＲＯＭ５２に記憶されており，制御部５０は，ＵＨＦ選局部３０の選局チャンネルを，このＥＥＰＲＯＭ５２に記憶された選局チャンネルに固定する。
なお，オフセットビートキャンセラ２０には，図示しないＤＣアダプタ等から例えば直流１５Ｖの直流電源を供給するための電源入力端子Ｔｄｃが設けられており，上述した各内部回路には，この電源入力端子Ｔｄｃに供給された直流電源から上述した内部回路を動作させるための各種電源電圧を生成する電源部５６を介して，動作用の電源電圧を供給するようにされている。
【００３５】
ところで，本実施例のオフセットビートキャンセラ２０においては，デジタル処理部３４において，直交検波部３２で得られたＱ信号をデジタル処理することによって，映像信号に含まれる妨害波信号成分を生成し，これをＩ信号から除去するようにしているので，妨害波信号成分をアナログフィルタを用いて生成する従来のオフセットビートキャンセラに比べて，周囲温度の影響を受けることなく妨害波信号成分を除去することができるようになるのであるが，ＵＨＦ選局部３０で受信信号から映像ＩＦ信号を生成するのに用いられる局部発振器７０（図４参照）から出力される位相ノイズの信号レベルが高いと，オフセットビートキャンセラ２０でオフセットビート障害の原因となる妨害波信号成分を除去したにも関わらず，オフセットビートキャンセラ２０から出力されるテレビ放送信号を受信端末で再生した際の再生画像にビートが発生してしまうことがある。
【００３６】
そこで，本実施例では，こうした問題を防止するため，ＵＨＦ選局部３０に内蔵された局部発振器７０の出力特性における位相ノイズを，オフセット周波数１ｋＨｚにおいて９５ｄＢｃ／Ｈｚ〜１３０ｄＢｃ／Ｈｚとなるように設定している。
【００３７】
即ち，ＵＨＦ選局部３０は，図４に示すように，電圧制御型の周波数可変発振器（ＶＣＯ）からなる局部発振器７０を備え，この局部発振器７０から出力される局部発振信号Ｌｏと分配回路２８を介して入力される受信信号（ＶＨＦ・ＵＨＦ信号）とを混合することにより，制御部５０から指定された所定チャンネルのテレビ放送信号の映像搬送波が所定周波数（例えば，５８．７５ＭＨｚ）となるように受信信号を周波数変換し，更に，映像・音声分離フィルタ７４にて，その周波数変換後の受信信号の中から，所定チャンネルのテレビ放送信号の映像信号（詳しくは映像ＩＦ信号）と音声信号とをそれぞれ分離し，その分離した音声信号を音声復調部７８において復調した音声出力と映像・音声分離フィルタ７４にて分離した映像信号（映像ＩＦ信号）とを，それぞれ，出力するように構成されている。
【００３８】
また，ＵＨＦ選局部３０には，制御部５０から指定された所定チャンネルのテレビ放送信号を選局して，その映像ＩＦ信号及び音声信号（複合音声放送）を出力できるようにするために，発振周波数が固定された基準発振器８０と，この基準発振器８０からの出力と局部発振器７０からの出力との周波数の比が制御部５０からの選局チャンネル制御信号に対応した値となるように局部発振器７０の発振周波数を制御するＰＬＬ回路８２と，ＰＬＬ回路８２から局部発振器７０への制御信号の出力経路に設けられたＬＰＦ（ローパスフィルタ）８４とが備えられている。
【００３９】
そして，本実施例では，このＬＰＦ８４のフィルタ特性を調整することによって，局部発振器７０の出力特性を上記のように設定し，局部発振器７０から出力される位相ノイズによって再生画像が劣化するのを防止しているのである。
【００４０】
更に，図５に示すように本発明の映像信号処理手段３３を構成する直交検波部３２において直交検波するために必要なキャリア再生部３１にも基準発振器３１ｅが備えられている。このキャリア再生部３１は，上記選局部３０から出力される映像ＩＦ信号を，フィルタ３１ａと振幅制限器３２ｂを介して出力された信号を基準信号として，該基準信号と前記基準発振器３１ｅからの出力との周波数の比が予め設定された値となるように前記基準発振器３１ｅの発振周波数を制御するＰＬＬ回路３１ｃと，該ＰＬＬ回路３１ｃから前記基準発振器３１ｅへの制御信号の出力経路に設けられたローパスフィルタ３１ｄとから構成されている。従って，上述のように選局部３０において，周波数変換するための局部発振器７０の位相ノイズを最適に設定したとしても，この映像ＩＦ信号を基準としたキャリア再生部３１において変調信号成分の残留による雑音成分が加わると，再生画像が劣化することになってしまう。
【００４１】
そこで，前記キャリア再生部３１において，フィルタ３１ａは例えば狭帯域なクリスタルフィルタでもって構成され，前記映像ＩＦ信号を通過させるものであり，振幅制限器３１ｂは映像ＩＦ信号に含まれるＡＭ成分を抑圧することで基準信号としてＰＬＬ回路３１ｃに入力されるのである。従ってこのＡＭ成分を抑圧することが基準発振器３１ｅの純度を良好に保つことになり，本発明においては前記振幅制限器３１ｂに，例えば映像搬送波信号に正弦波信号で振幅変調をかけた信号を入力した場合，該振幅制限器３１ｂの出力において映像搬送波信号より１ｋＨｚ離れたところの映像信号抑圧比が，１５ｄＢ〜４０ｄＢとなるように設定している。また選局部３０の局部発振器７０と同様な理由から，キャリア再生部３１の基準発振器３１ｅの位相ノイズを，オフセット周波数１ｋＨｚにおいて７０ｄＢｃ／Ｈｚ〜９０ｄＢｃ／Ｈｚとなるように設定されている。
【００４２】
従って，本実施例のオフセットビートキャンセラ２０によれば，受信信号に含まれる妨害波信号成分によって所定放送チャンネルのテレビ放送信号を受信端末側で再生した際に生じるオフセットビート障害を防止できるだけでなく，オフセットビート障害を防止するためにＵＨＦ選局部３０でテレビ放送信号を選局するのに用いられる局部発振器７０からの位相ノイズだけでなく，キャリア再生部３１の振幅制限器３１ｂの映像信号抑圧比，同基準発振器３１ｅの位相ノイズによって再生画像が劣化するのも防止でき，ＵＨＦ選局部３０で選局したテレビ放送信号を受信端末側で綺麗に再生できることになる。
尚，図２に示す電源部５２から内部回路へ供給される電源は，出力電圧リプルが小さい方が良いし，外部ノイズや高周波電界による影響を出来うる限り小さくすることも各構成要素を動作させるときにノイズを発生させないので，再生画像が劣化するのを防止できる。
【００４３】
以上，本発明の一実施例について説明したが，本発明は上記実施例に限定されるものではなく，種々の態様を採ることができる。
例えば，上記実施例では，デジタル処理部３４において，Ｉ信号を低域成分と高域成分とに分離するものとして説明したが，Ｉ信号は必ずしも分離する必要はなく，単にＡ／Ｄ変換部６１でＡ／Ｄ変換したＩ信号をそのまま遅延処理部で遅延させて，そのＩ信号から妨害波信号成分を除去するようにしてもよい。
【００４４】
【発明の効果】
以上詳述したように，本願の発明によれば，選局手段やキャリア再生部において使用されている発振器（詳しくは選局手段においては，該選局手段が受信信号から所定放送チャンネルのテレビ放送信号の映像信号を映像中間周波信号に周波数変換するのに使用する局部発振器であり，キャリア再生部においては，前記選局手段から出力された映像中間周波信号を直交検波するための基準発振器である）から出力される位相ノイズがある程度低ければ，再生画像に影響を与えることはない。
【００４５】
そこで，本発明では，少なくとも選局手段の局部発振器とキャリア再生部に使用されている振幅制限器と基準発振器において，これらの構成要素の内，雑音成分を発生させる構成要素の特性に着目して，これらを夫々最適化して組合せることにより，これらの構成要素の特性によってテレビ放送の再生画像が劣化するのを防止するようにしているのである。
【００４６】
そして，このように各構成要素の特性を夫々最適な値に組合せることにより，選局手段やキャリア再生部に設けられる発振器やこの発振器の発振周波数を制御する制御回路の精度を高めて，発振器から出力される位相ノイズを全周波数領域で抑制する必要がないので，選局手段やキャリア再生部，延いては，オフセットビートキャンセラを，比較的安価に実現できることになるのである。
なお，組合せとしては本発明のように，選択手段における局部発振器の出力特性は，その位相ノイズの特性が，オフセット周波数１ｋＨｚにおいて９５ｄＢｃ／Ｈｚ〜１３０ｄＢｃ／Ｈｚであって，キャリア再生部を構成する振幅制限器の特性は，その映像信号抑圧比が１５ｄＢ〜４０ｄＢであり，前記映像信号処理手段が前記映像中間周波信号を直交検波するのに使用するキャリア再生部を構成する基準発振器の出力特性の一つである位相雑音が，オフセット周波数１ｋＨｚにおいて７０ｄＢｃ／Ｈｚ〜９０ｄＢｃ／Ｈｚであるように構成することが望ましい。更にこれらの発振器をＰＬＬ制御による回路で構成することで，より安定性の良いオフセットビートキャンセラを提供できる。
【図面の簡単な説明】
【図１】実施例のテレビ放送受信システム全体の構成を表す概略構成図である。
【図２】図１に示すオフセットビートキャンセラの構成を表すブロック図である。
【図３】図２に示すデジタル処理部の構成を表すブロック図である。
【図４】図２に示すＵＨＦ選局部の構成を表すブロック図である。
【図５】図２に示すキャリア再生部の構成を表すブロック図である。
【符号の説明】
２…ＶＨＦアンテナ，４…ＵＨＦアンテナ，６…ＢＳ／ＣＳアンテナ，８…ブースタ，１０…分配器，１２…直列ユニット，２０…オフセットビートキャンセラ，２２，４６，８２…ＬＰＦ，２４，２６…ＨＰＦ，２８，２９…分配回路，３０…ＵＨＦ選局部，３１…キャリア再生部，３１ａ…フィルタ，３１ｂ…振幅制限器，３１ｃ…ＰＬＬ回路，３１ｄ…ローパスフィルタ，３１ｅ…基準発振器，３２…直交検波部，３３…映像信号処理手段，３４…デジタル処理部，３６…ＵＨＦ変調部，３８…ＢＰＦ，４０…増幅部，４２…混合回路，４４…増幅回路，４８…出力チャンネル設定部，５０…制御部，５２…ＥＥＰＲＯＭ，５６…電源部，６０，６１…Ａ／Ｄ変換部，６２，６３，６７…フィルタ部，６４…ビート成分生成部，６５，６８…遅延処理部，６６…減算処理部，６９…加算処理部，６９ａ…Ｄ／Ａ変換部，７０…局部発振器，７２…ミキサ，７４…映像・音声分離フィルタ，７８…周波数変換部，８０…基準発振器，８２…ＰＬＬ回路，Ｔｄｃ…電源入力端子，Ｔｉｎ…入力端子，Ｔｏｕｔ…出力端子，ＶＲ…ボリューム。
【図１】
2004357165.tif 000003
【図２】
2004357165.tif 000004
【図３】
2004357165.tif 000005
【図４】
2004357165.tif 000006
【図５】
2004357165.tif 000007